(57)【特許請求の範囲】
【請求項１】
音データを記憶する記憶手段と、
継電器の試験に係る試験電流及び試験電圧の少なくとも一方を出力する試験出力端子と、
前記音データに基づいて、前記試験電流及び前記試験電圧の少なくとも一方の出力を指令する試験装置制御手段と、
を有する
ことを特徴とする継電器試験装置。
【請求項２】
前記音データは、ハイレゾリューションオーディオ形式である
ことを特徴とする請求項１に記載の継電器試験装置。
【請求項３】
前記音データは、ローレゾリューションオーディオ形式である
ことを特徴とする請求項１に記載の継電器試験装置。
【請求項４】
更に、通信手段を有しており、
前記試験装置制御手段は、前記通信手段により前記音データを受信して、前記記憶手段に記憶する
ことを特徴とする請求項１ないし請求項３の何れかに記載の継電器試験装置。
【請求項５】
前記音データは、前記継電器の特異現象発生時に取得された特異現象時電流及び特異現象時電圧の少なくとも一方に基づいたものである
ことを特徴とする請求項１ないし請求項４の何れかに記載の継電器試験装置。
【請求項６】
更に、バッテリを有している
ことを特徴とする請求項１ないし請求項５の何れかに記載の継電器試験装置。
【請求項７】
音データを記憶する記憶手段と、
高圧受電機器の試験に係る試験電流及び試験電圧の少なくとも一方を出力する試験出力端子と、
前記音データに基づいて、前記試験電流及び前記試験電圧の少なくとも一方の出力を指令する試験装置制御手段と、
を有する
ことを特徴とする高圧受電機器試験装置。
【請求項８】
前記音データは、ハイレゾリューションオーディオ形式である
ことを特徴とする請求項７に記載の高圧受電機器試験装置。
【請求項９】
前記音データは、前記高圧受電機器の特異現象発生時に取得された特異現象時電流及び特異現象時電圧の少なくとも一方に基づいたものである
ことを特徴とする請求項７又は請求項８に記載の高圧受電機器試験装置。
【発明の詳細な説明】
【技術分野】
【０００１】
本発明は、高圧受電設備を地絡事故あるいは短絡事故等から保護するために設置された保護装置としての継電器について、動作確認を実施する継電器試験装置、及び高圧受電機器を試験する高圧受電機器試験装置に関する。
【背景技術】
【０００２】
特許第３８９４３４６号公報（特許文献１）の請求項１及び［００１５］〜［００２５］には、高圧受電の責任分界点近くに配置する開閉器に対して、試験用コネクタを介して電気設備に接続される試験装置が開示されている。
この試験装置は、ＤＧＲ試験用交流電圧発生回路でありＺＰＤ一次端子と対地間に試験電圧を印加する電圧出力部１１と、トリップ回路の直流抵抗を測定し、絶縁抵抗測定動作によりトリップ回路の対地間絶縁抵抗を測定するトリップ回路抵抗測定部１２及び絶縁抵抗測定部１３と、ＧＲまたはＤＧＲ７試験用交流電流を発生し、継電器動作時間測定操作により、ＺＣＴ試験端子（Ｋｔ−Ｌｔ間）に試験電流を流すと同時に、タイムカウンタ回路１６に始動信号を送出する電流出力部１４と、ＤＧＲ７のトリップ電圧出力端子に接続され、カウンタ停止回路１７に向けて継電器動作信号を出力するトリップ電圧検出部１５と、トリップ電圧検出部１５からトリップ電圧情報を受けるピークホールド回路１８と、を有している。電圧出力部１１は、試験電圧切り替え機能を持ち、電流出力部１４は、電流切り替え機能を持つ。
又、同公報の［０００８］に記載されているように、試験電流は、商用周波数と同じ交流試験電流とされ、試験電圧は、商用周波数電圧とされる。
【先行技術文献】
【特許文献】
【０００３】
【特許文献１】特許第３８９４３４６号公報
【発明の概要】
【発明が解決しようとする課題】
【０００４】
上記試験装置では、電圧出力部１１及び電流出力部１４を有しているため、ＧＲ（地絡継電器）及びＤＧＲ（地絡方向継電器）に関する試験を行える。
しかし、上記試験装置では、電圧出力部１１の出力する試験電圧の変化は、切り替え機能でしかできず、又電流出力部１４の出力する試験電流の変化は、切り替え機能でしかできない。よって、試験電圧のパターン及び試験電流のパターンは、商用周波数における限られた数種類のものとなり、それらパターン自体の変更は、回路を形成し直さなければならず、困難である。
又、上記試験装置では、出力される試験電圧のパターン及び試験電流のパターンが限られているため、高圧受電機器の試験を十分に行うことはできない。
【０００５】
そこで、本発明の主な目的の一つは、様々なパターンに係る試験電流及び試験電圧を簡単に試験に用いることができる継電器試験装置を提供することである。
又、本発明の主な目的の一つは、様々なパターンに係る試験電流及び試験電圧を出力することで、高圧受電機器の試験を十分に行うことができる高圧受電機器試験装置を提供することである。
【課題を解決するための手段】
【０００６】
上記目的を達成するために、請求項１に記載の発明は、継電器試験装置において、音データを記憶する記憶手段と、継電器の試験に係る試験電流及び試験電圧の少なくとも一方を出力する試験出力端子と、前記音データに基づいて、前記試験電流及び前記試験電圧の少なくとも一方の出力を指令する試験装置制御手段と、を有することを特徴とするものである。
請求項２に記載の発明は、上記発明において、前記音データは、ハイレゾリューションオーディオ形式であることを特徴とするものである。
請求項３に記載の発明は、上記発明において、前記音データは、ローレゾリューションオーディオ形式であることを特徴とするものである。
請求項４に記載の発明は、上記発明において、更に、通信手段を有しており、前記試験装置制御手段は、前記通信手段により前記音データを受信して、前記記憶手段に記憶することを特徴とするものである。
請求項５に記載の発明は、上記発明において、前記音データは、前記継電器の特異現象発生時に取得された特異現象時電流及び特異現象時電圧の少なくとも一方に基づいたものであることを特徴とするものである。
請求項６に記載の発明は、上記発明において、更に、バッテリを有していることを特徴とするものである。
【０００７】
上記目的を達成するために、請求項７に記載の発明は、高圧受電機器試験装置において、音データを記憶する記憶手段と、継電器の試験に係る試験電流及び試験電圧の少なくとも一方を出力する試験出力端子と、前記音データに基づいて、前記試験電流及び前記試験電圧の少なくとも一方の出力を指令する試験装置制御手段と、を有することを特徴とするものである。
請求項８に記載の発明は、上記発明において、前記音データは、ハイレゾリューションオーディオ形式であることを特徴とするものである。
請求項９に記載の発明は、上記発明において、前記音データは、前記高圧受電機器の特異現象発生時に取得された特異現象時電流及び特異現象時電圧の少なくとも一方に基づいたものであることを特徴とするものである。
【発明の効果】
【０００８】
本発明の主な効果の一つは、様々なパターンに係る試験電流及び試験電圧を簡単に試験に用いることができる継電器試験装置が提供されることである。
又、本発明の主な効果の一つは、様々なパターンに係る試験電流及び試験電圧を出力することで、高圧受電機器の試験を十分に行うことができる高圧受電機器試験装置が提供されることである。
【図面の簡単な説明】
【０００９】
【図１】自家用設備（ＧＲ用開閉器設置の場合）の説明図である。
【図２】自家用設備（ＤＧＲ用開閉器設置の場合）の説明図である。
【図３】図１の自家用設備に対するＧＲ試験時の、継電器試験装置及び地絡継電器のブロック図である。
【図４】図２の自家用設備に対するＤＧＲ試験時の、継電器試験装置及び地絡方向継電器のブロック図である。
【発明を実施するための形態】
【００１０】
以下、本発明の実施の形態及びその変更例が、適宜図面に基づいて説明される。
本発明は、下記の形態及び変更例に限定されない。
【００１１】
［第１形態］
本発明の第１形態として、継電器試験装置１０が主に説明される。
図１は、自家用設備ＰＵＦの説明図である。
自家用設備ＰＵＦは、一般送配電事業者設備から高圧受電するための設備であり、責任分界ＲＥＢの自家側に配置されている。
自家用設備ＰＵＦは、電柱設備ＰＯＬと、高圧受電設備ＨＶＲと、を有する。
【００１２】
電柱設備ＰＯＬは、電柱１と、複数の腕金２と、ＧＲ用開閉器４と、ケーブルヘッド５と、地絡継電器ＧＲと、制御ケーブル８と、を有する。
【００１３】
電柱１は、地面ＧＬＳに立てられている。
各腕金２は、電柱１に固定されており、水平に延びている。
【００１４】
ＧＲ用開閉器４は、地絡継電器ＧＲ用の高圧交流負荷開閉器であり、開閉器ＳＷＲと、零相変流器ＺＣＴと、を有する。
ＧＲ用開閉器４は、腕金２を介して、電柱１に固定されている。ＧＲ用開閉器４は、配電線の引き込み線ＬＩＬ（図１では１本のところ一般に３本）に接続されており、責任分界点に隣接するように配置されている。尚、責任分界点は、より詳しくは、開閉器ＳＷＲの電源側接続点である。
ＧＲ用開閉器４及びその制御装置としての地絡継電器ＧＲは、高圧受電設備ＨＶＲで事故が発生しても、停電等の障害を自家用設備ＰＵＦに留め、配電線側（他の需要家）への波及事故に至らないようにするためのものである。
【００１５】
ケーブルヘッド５は、ＧＲ用開閉器４の腕金２とは別の腕金２を介して、電柱１に固定されている。ケーブルヘッド５は、ＧＲ用開閉器４より高圧受電設備ＨＶＲ側に配置されており、ＧＲ用開閉器４と高圧配線ＨＣ１により接続されている。
高圧配線ＨＣ１は、一般に３本である。
【００１６】
地絡継電器ＧＲは、ＧＲ用開閉器４を制御する装置である。地絡継電器ＧＲは、地面ＧＬＳの近くにおいて、電柱１に固定されている。地絡継電器ＧＲは、試験時に用いる試験用端子群ＴＣＧを有している。
地絡継電器ＧＲは、ＧＲ用開閉器４の零相変流器ＺＣＴにより検知された地絡電流が整定値以上であると、ＧＲ用開閉器４の開閉器ＳＷＲに開放指令を出す。開閉器ＳＷＲは、開放指令に基づき開放動作し、自家用設備ＰＵＦを配電線側から切り離す。
試験用端子群ＴＣＧは、ＧＲ用開閉器４に対応し、後述の通り２つの端子を含む。
制御ケーブル８は、ＧＲ用開閉器４と地絡継電器ＧＲとの間に介装されている。制御ケーブル８は、ＧＲ用開閉器４と地絡継電器ＧＲとの間で通信される各種の指令等の制御信号、及び地絡電流等を伝える。
【００１７】
高圧受電設備ＨＶＲは、ＧＲ用開閉器４を介して、配電線に接続されている。高圧受電設備ＨＶＲには、ケーブルヘッド５からの高圧ケーブルＨＣ２が引き込まれている。高圧ケーブルＨＣ２は、一般に１本であり、３本の高圧配線ＨＣ１がケーブルヘッド５でまとめられたものである。高圧ケーブルＨＣ２が１本の場合、一般に高圧受電設備ＨＶＲ内に別途設けられたケーブルヘッド５で３本となる。
【００１８】
近時、他の需要家からの事故電流の流入によるＧＲ用開閉器４の誤動作（もらい事故）を防止するため、ＧＲ用開閉器４（図１）に代えて、図２に示されるように、地絡方向継電器ＤＧＲ用のＤＧＲ用開閉器４’が設けられることが増えている。尚、図１の場合と同様に成る部材又は部分には、同じ符号が付されて、適宜その説明が省略される。
ＤＧＲ用開閉器４’は、高圧交流負荷開閉器であり、開閉器ＳＷＲと、零相変流器ＺＣＴと、零相電圧検出装置ＺＰＤと、を有する。
ＤＧＲ用開閉器４’は、電柱設備ＰＯＬ’において、腕金２を介して、電柱１に固定されている。ＤＧＲ用開閉器４’は、配電線の引き込み線ＬＩＬに接続されている。
ＤＧＲ用開閉器４’及びその制御装置としての地絡方向継電器ＤＧＲは、高圧受電設備ＨＶＲで事故が発生しても、開閉器ＳＷＲの開放動作により停電等の障害を自家用設備ＰＵＦ’に留め、配電線側（他の需要家）への波及事故に至らないようにすると共に、他需要家からの事故電流では、開放動作をせずに、自家の高圧受電設備ＨＶＲにおける受電を維持するためのものである。
地絡方向継電器ＤＧＲは、ＤＧＲ用開閉器４’を制御する装置であり、試験用端子群ＴＣＧ’を有している。
地絡方向継電器ＤＧＲは、ＤＧＲ用開閉器４’の零相変流器ＺＣＴにより検出された地絡電流と、地絡電流と同時にＤＧＲ用開閉器４’の零相電圧検出装置ＺＰＤにより検出された零相電圧の位相関係とに基づき、整定値以上の地絡電流が検出され、且つ零相電圧の位相関係が自家用設備ＰＵＦ’における地絡を示すものであった場合に、開閉器ＳＷＲに開放指令を出す。開閉器ＳＷＲは、開放指令に基づき開放動作し、自家用設備ＰＵＦ’を配電線側から切り離す。
ＤＧＲ用開閉器４’及び地絡方向継電器ＤＧＲでは、地絡電流の方向性の検出に基づき、零相電圧の位相関係が他需要家における地絡を示すものであった場合には、整定値以上の事故電流が検知されたとしても開放動作しない。よって、ＤＧＲ用開閉器４’を有する自家用設備ＰＵＦ’は、他需要家（構外）からの事故電流により開放動作せず、もらい事故の発生を防止し、不必要な停電を防止する。
電柱設備ＰＯＬ’における地絡方向継電器ＤＧＲの試験用端子群ＴＣＧ’は、ＤＧＲ用開閉器４’に対応し、後述の通り４つの端子を含む。これらの端子のうちの２つは、地絡継電器ＧＲの試験用端子群ＴＣＧと共通している。
【００１９】
ＧＲ用開閉器４（地絡継電器ＧＲ）又はＤＧＲ用開閉器４’（地絡方向継電器ＤＧＲ）については、地絡事故時における正確な動作を担保するため、年次点検等より動作の試験（継電器試験）が実施される。
【００２０】
図３に示されるように、地絡継電器ＧＲに係る継電器試験は、試験者ＴＥＲが、継電器試験装置１０を、地絡継電器ＧＲに接続して行われる。
継電器試験装置１０は、地絡継電器ＧＲを試験する装置であり、地絡継電器ＧＲが電流値の大きさのみで動作することから、試験電流ＣＦを電流要素として地絡継電器ＧＲに対し出力するものである。
継電器試験装置１０は、ここではタブレット端末であり、記憶手段１１と、試験装置用バッテリ１２を有すると共に、情報入出力手段１３を有しており、更に、試験電流ＣＦ及び試験電圧ＶＦを出力可能な端子である試験出力端子１４を有している。又、継電器試験装置１０は、通信手段１５を有している。更に、継電器試験装置１０は、試験装置制御手段１６を有している。
【００２１】
記憶手段１１は、タブレット端末の内蔵メモリである。記憶手段１１には、音データ再生アプリ１１Ａ（音データ再生アプリケーション）と、複数の音データ形式の試験データ１１Ｂと、が記憶されている。音データ再生アプリ１１Ａは、再生部１１Ｐと、増幅部１１Ｍと、を有している。尚、記憶手段１１は、内蔵メモリに代えて、あるいは内蔵メモリと共に、取り出し可能なメモリカード、外付けのメモリ、内蔵あるいは外付けのハードディスク、又はこれらの組合せであっても良い。
試験装置用バッテリ１２は、タブレット端末の内蔵バッテリである。継電器試験装置１０の電源は、試験装置用バッテリ１２で賄われ、可搬型発電機あるいは地絡継電器ＧＲの電源線から引き出して設けた差し込み口といった商用電源の接続口（ＡＣ１００Ｖ取り出し口）を別途用意する必要はない。尚、試験装置用バッテリ１２は、外付けのバッテリであっても良い。又、試験装置用バッテリ１２に代えて、ＡＣ１００Ｖ電源接続用のプラグコードが設けられるようにし、プラグコードを介して商用電源に接続されるようにしても良い。
情報入出力手段１３は、試験開始指令等の入力を行うと共に、試験結果等の情報の出力を行うものであり、ここではタブレット端末のタッチパネル（入力手段付き表示手段）である。尚、情報入出力手段１３は、情報入力手段と情報出力手段とが別に設けられるものであっても良い。この場合、情報入力手段は、マウス等のポインティングデバイス、ボタン、キーボード、若しくは音声入力、又はこれらの組合せであっても良く、情報出力手段は、ランプ、スピーカ、若しくはプリンタ、又はこれらの組合せであっても良い。
試験出力端子１４は、再生された音データに応じ、電流及び電圧が印加される。試験出力端子１４は、イヤホン端子であり、ステレオ端子であって、Ｒチャンネル部１４Ｒと、Ｌチャンネル部１４Ｌとを有している。尚、試験出力端子１４は、どのような形式の端子であっても良く、モノラル端子であっても良い。
通信手段１５は、携帯電話網及び無線ＬＡＮ（Ｌｏｃａｌ  Ａｒｅａ  Ｎｅｔｗｏｒｋ）の少なくとも一方を介して、インターネットに無線接続可能である。尚、通信手段１５は、近接通信を始めとする他の無線通信が可能であっても良いし、有線通信が可能であっても良いし、専用網に接続可能であっても良い。又、通信手段１５の一部又は全部は、独立した機器として構成され、継電器試験装置１０に外付けされても良い。
試験装置制御手段１６は、継電器試験装置１０の各種の部分、例えば記憶手段１１ないし通信手段１５を制御するものである。試験装置制御手段１６は、ここではＣＰＵ（Ｃｅｎｔｒａｌ  Ｐｒｏｃｅｓｓｉｎｇ  Ｕｎｉｔ）である。
【００２２】
音データ再生アプリ１１Ａは、試験装置制御手段１６により実行される。音データ再生アプリ１１Ａは、再生部１１Ｐにおいて音データを参照し、音データに合った電流及び電圧の試験出力端子１４への印加を指令する。参照される音データは、選択画面（図示略）において選択入力される。再生部１１Ｐにおける音データの再生は、再生ボタン１１Ｑにより開始され、停止ボタン１１Ｓにより停止される。又、当該再生は、早送りボタン１１Ｅ及び巻戻しボタン１１Ｎ並びに一時停止ボタン１１Ｕにより調整可能である。選択された音データの再生部分及びその隣接部分の波形は、ウィンドウ１１Ｗに表示される。又、電流及び電圧の試験出力端子１４への印加のレベルは、増幅部１１Ｍにおける適宜の増幅により調整される。増幅部１１Ｍにおける電流の増幅の度合は、スライダ１１Ｒにより入力され、増幅部１１Ｍにおける電圧の増幅の度合は、スライダ１１Ｌにより入力される。尚、当該度合は、スライダ１１Ｒ，１１Ｌ以外の形式により入力されても良い。又、ウィンドウ１１Ｗは、省略されても良い。更に、増幅部１１Ｍは、独立した機器として構成され、継電器試験装置１０に外付けされても良い。
又、ウィンドウ１１Ｗの隣には、現在出力している電流値の表示を行う電流値ウィンドウ１１Ｃと、現在出力している電圧値の表示を行う電圧値ウィンドウ１１Ｖと、電流値と電圧値との位相差の表示を行う位相差ウィンドウ１１θと、が配置されている。尚、ＧＲ用開閉器４の試験においては、電圧値ウィンドウ１１Ｖ及び位相差ウィンドウ１１θの少なくとも一方が表示されなくても良い。
【００２３】
各試験データ１１Ｂは、所定の長さの音データであり、例えば、所定の周波数の正弦波を示すデータ、あるいは正弦波の重ね合わせによる正弦波より複雑な波形を示すデータ、又は時間の経過により形状が変化する波形を示すデータである。各試験データ１１Ｂ（音データ）の形式は、どのようなものであっても良いところ、波形に従った出力をより正確に行う観点、又取り扱いをより簡単にする観点から、好ましくはデジタル形式であり、より好ましくはハイレゾリューションオーディオ（ハイレゾ）形式である。
各試験データ１１Ｂは、音データの作成アプリケーションあるいは録音により作成可能であり、試験者ＴＥＲの所属する団体に加え、大学等の研究所といった他の団体においても作成可能である。複雑な波形の試験データ１１Ｂの作成は、研究所等で行える。又、継電器試験装置１０は、試験装置制御手段１６により通信手段１５の制御によって、任意の試験データ１１Ｂを、インターネット及び通信手段１５を介して受信可能である。継電器試験装置１０は、任意の試験データ１１Ｂにつき、試験者ＴＥＲの所属する団体あるいは研究所等から、コンピュータから発信される電子メールの添付ファイル、あるいはサーバコンピュータからのダウンロード等によって、簡単且つ即時に受け取ることができる。受信された試験データ１１Ｂは、試験装置制御手段１６の制御に基づき、記憶手段１１に記憶される。試験者ＴＥＲの所属する団体等は、試験データ１１Ｂを、簡単且つ即時に、又同時に多数の継電器試験装置１０に配信することができる。
【００２４】
試験電流ＣＦ，試験電圧ＶＦは、試験用の電流，電圧であって、例えば交流電流，交流電圧を模した正弦波であり、試験データ１１Ｂの音データ再生アプリ１１Ａによる再生によって、試験出力端子１４に与えられる。
試験データ１１Ｂの形式について、ハイレゾ形式は、ＣＤ−ＤＡ（Ｃｏｍｐａｃｔ  Ｄｉｓｃ  Ｄｉｇｉｔａｌ  Ａｕｄｉｏ）のサンプリングパラメータ（４４．１キロヘルツ，１６ビット）よりもレゾリューションが高いものである。ＣＤ−ＤＡのサンプリングパラメータ以下のレゾリューションを持つものは、ローレゾリューション（ローレゾ）形式である。ハイレゾ形式であれば、試験データ１１Ｂの質が高く、試験電流ＣＦ及び試験電圧ＶＦの質が向上する。他方、ローレゾ形式であれば、ハイレゾ形式に比べてこれらの質が下がるものの、試験の内容によっては（例えば現場試験では）十分な質が確保されるし、ハイレゾ形式に比べて、試験データ１１Ｂの形成及び音データ再生アプリ１１Ａ等のコストが低減される。
更に、試験データ１１Ｂとして、事故後分析等のため設置されたレコーダーにより事故を始めとする特異現象の発生時において取得（記録）された特異現象時電流及び特異現象時電圧の少なくとも一方等が、そのまま、あるいは音データ変換及びレベル調整の少なくとも一方等の調整を経たうえで、用いられても良い。音データ変換には、ハイレゾ変換又はローレゾ変換が含まれ得る。この試験データ１１Ｂを用いれば、試験者ＴＥＲは、実際の特異現象時電流等に即した試験を行うことができる。又、この試験データ１１Ｂを用いた試験の結果を分析すれば、現場で用いられている機器類（例えば電線・ケーブル，開閉器，変圧器，地絡継電器ＧＲを始めとする各種保護装置等）の改善を行うことができる。ここで、特異現象には、原因不明の保護装置の動作、及びこれに関係する停電事故の少なくとも何れか等が含まれ得る。
【００２５】
試験データ１１Ｂは、年次点検のような定期試験では、例えば所定の周波数（５０ヘルツ又は６０ヘルツ；商用周波数）に係るレベル一定の正弦波として事前に録音される。試験時間は１０分程度であるところ、実際に通電する時間は６０秒程度であるため、試験者ＴＥＲは、数分間の長さを有する試験データ１１Ｂで試験可能である。試験者ＴＥＲは、通電時間が不足した場合には、再度試験データ１１Ｂを再生すれば良い。
又、試験データ１１Ｂは、慣性特性試験の場合には、例えば、商用周波数の正弦波であって、レベルが整定値の４００％で一定であり、長さが５０ｍｓ（ミリ秒）であるものとされる。尚、試験データ１１Ｂは、増幅部１１Ｍでのレベル調整により、整定値の４００％とされても良い。
【００２６】
ＧＲ用開閉器４の地絡継電器ＧＲの試験用端子群ＴＣＧは、第１端子Ｋｔ，第２端子Ｌｔを含んでいる。
ＧＲ用開閉器４の試験時には、試験出力端子１４と、第１端子Ｋｔ及び第２端子Ｌｔとが、ケーブルＣにより接続される。
【００２７】
そして、試験者ＴＥＲが試験データ１１Ｂを選択したうえで再生ボタン１１Ｑを押すと、音データとしての試験データ１１Ｂの再生により、継電器試験装置１０の試験出力端子１４から試験電流ＣＦが出力される。試験電流ＣＦは、ウィンドウ１１Ｗ及び電流値ウィンドウ１１Ｃで表示されると共に、ケーブルＣを介して、地絡継電器ＧＲの第１端子Ｋｔ及び第２端子Ｌｔに達する。
尚、継電器試験装置１０が、更に別端末と無線通信可能に接続され、当該別端末において、継電器試験装置１０と同様に音データ再生アプリ１１Ａで試験データ１１Ｂが再生され、当該別端末が、音データの再生に係る電流出力情報を、近接通信等の無線通信を通じて継電器試験装置１０に送信し、継電器試験装置１０が、受信した電流出力情報を、試験出力端子１４から出力しても良い、この場合、当該別端末が継電器試験装置１０とされ、地絡継電器ＧＲの第１端子Ｋｔ及び第２端子Ｌｔに接続される機器が、無線通信手段及び試験出力端子１４のみを備えた受信出力専用の装置（レシーバ）とされていても良い。レシーバに、増幅部１１Ｍが設置されていても良い。このように無線化されていると、試験者は、当該別端末を鞄等に入れて試験することができるし、近くに止めた車両の中等から試験することができる。又、音データの再生に係る電流出力情報に代えて、あるいは電力出力情報と共に、音データが通信されても良い。
【００２８】
ＧＲ用開閉器は、制御ケーブル８を介して、試験電流ＣＦにより、ＧＲ用開閉器４を電流要素において試験する。
試験データ１１Ｂは、試験に適した波形及び長さ（再生時間）で作成されており、試験データ１１Ｂを再生して行う試験は、所定時間（再生時間）を経て自動的に終了する。
特に、地絡継電器ＧＲの慣性特性試験においては、試験データ１１Ｂは、上述の通り、地絡継電器ＧＲの整定タップの４倍の電流の流下に相当する波形を有するものとされ、又５０ｍｓの長さを有するものとされる。よって、試験者ＴＥＲは、この試験データ１１Ｂを現場で再生するだけで、慣性特性試験を完了することができる。又、５０ｍｓ出力に係る専用の試験装置は、不要である。
又、スライダ１１Ｒにより増幅部１１Ｍにおける試験電流ＣＦの増幅の度合（レベル調整）が可能であるものの、もともと波形の大きさ（レベル）の異なる複数の試験データ１１Ｂを作成しておけば、即ち互いに録音レベルの異なる試験データ１１Ｂを用意しておけば、様々な地絡継電器ＧＲに対し、それぞれに適したレベルの試験データ１１Ｂを選択することで、スライダ１１Ｒ（増幅部１１Ｍ）の微調整を都度行うことなく、試験を簡単に行うことができる。又更に、音データのレベルを小（最小）から大（最大）まで変化させた１つの試験データ１１Ｂを用意すれば、試験者ＴＥＲは、この試験データ１１Ｂの再生により広範囲のレベルで試験することができ、レベル調整の手間を省くことができる。試験者ＴＥＲは、試験データ１１Ｂの再生中にＧＲ用開閉器４の開放動作があった場合、開放動作時のレベルを把握することができる。
更に、試験中に新しい波形（新しい電流変化態様）の試験データ１１Ｂが必要であると判明した場合には、試験者ＴＥＲは、試験者ＴＥＲの所属する団体等に問い合わせて、その新しい波形に係る試験データ１１Ｂの作成を依頼することができる。当該団体は、新しい形に係る試験データ１１Ｂを作成し、試験者ＴＥＲの継電器試験装置１０に、インターネット及び通信手段１５を介して送信することができる。試験者ＴＥＲは、受信した新しい試験データ１１Ｂにより、試験を行える。
【００２９】
試験者ＴＥＲは、地絡継電器ＧＲのターゲット表示、及びＧＲ用開閉器４の開放動作の少なくとも一方により、ＧＲ用開閉器４の動作確認がなされ、試験結果が良好であることを認識する。
【００３０】
継電器試験装置１０は、普及しているタブレット端末で構成可能であり、その製造、配備、メンテナンスは、低コストで行われる。
【００３１】
又、図４に示されるように、地絡方向継電器ＤＧＲに係る継電器試験は、地絡継電器ＧＲに係る継電器試験と同様に、継電器試験装置１０によって行える。
即ち、試験者ＴＥＲは、地絡方向継電器ＤＧＲに係る継電器試験に際し、継電器試験装置１０を、ケーブルＣ’を介して地絡方向継電器ＤＧＲに接続して行われる。ケーブルＣ’は、Ｒチャンネル線と、Ｌチャンネル線とを含む。
地絡方向継電器ＤＧＲが電流値の大きさ及び電圧の位相関係に基づいて動作することから、地絡方向継電器ＤＧＲの試験では、試験電流ＣＦに加え、試験電圧ＶＦを、地絡方向継電器ＤＧＲに対し出力し、電流要素と電圧要素とを加える試験に対応する必要がある。
ＤＧＲ用開閉器４’の地絡方向継電器ＤＧＲの試験用端子群ＴＣＧ’は、電流要素用の第１端子Ｋｔ，第２端子Ｌｔに加え、電圧要素用の第３端子Ｔ，第４端子Ｅを含んでいる。
【００３２】
そこで、試験者ＴＥＲは、継電器試験装置１０において試験電流ＣＦ及び試験電圧ＶＦを出力させることで、ＤＧＲ用開閉器４’を試験する。
ＤＧＲ用開閉器４’の試験時には、試験出力端子１４のＲチャンネル部１４Ｒが、ケーブルＣ’のＲチャンネル線を介して、第１端子Ｋｔ及び第２端子Ｌｔに接続され、Ｌチャンネル部１４Ｒが、ケーブルＣ’のＬチャンネル線を介して、第３端子Ｔ及び第４端子Ｅに接続される。
【００３３】
そして、継電器試験装置１０の試験出力端子１４のＲチャンネル部１４Ｒから出力された試験電流ＣＦは、ケーブルＣ’のＲチャンネル線を介して、地絡方向継電器ＤＧＲの第１端子Ｋｔ及び第２端子Ｌｔに達する。
又、継電器試験装置１０の試験出力端子１４のＬチャンネル部１４Ｌから出力された試験電圧ＶＦは、ケーブルＣ’のＬチャンネルを介して、地絡方向継電器ＤＧＲの第３端子Ｔ及び第４端子Ｅに達する。
試験電流ＣＦのレベル調整は、スライダ１１Ｒで行え、試験電圧ＶＦのレベル調整は、スライダ１１Ｌで行える。
試験データ１１Ｂに係る試験電流ＣＦの波形及び試験電圧ＶＦの波形は、それぞれ、情報入出力手段１３のウィンドウ１１Ｗに表示される。又、試験電流ＣＦは、電流値ウィンドウ１１Ｃで表示され、試験電圧ＶＦは、電圧値ウィンドウ１１Ｖで表示され、試験電流ＣＦと試験電圧ＶＦとの位相差は、位相差ウィンドウ１１θで表示される。
尚、これらの波形の少なくとも一方の表示は、省略されても良い。又、試験電流ＣＦの波形と試験電圧ＶＦの波形とが同軸上で表示されても良い。更に、Ｒチャンネル部１４Ｒが、第３端子Ｔ及び第４端子Ｅに接続されて、試験電圧ＶＦを出力し、Ｌチャンネル部１４Ｒが、第１端子Ｋｔ及び第２端子Ｌｔに接続されて、試験電流ＣＦを出力しても良い。又、継電器試験装置１０は、上述のＧＲ用開閉器４の試験の場合と同様に、別端末と無線通信可能に接続されていても良い。
【００３４】
地絡方向継電器ＤＧＲは、制御ケーブル８を介して、試験電流ＣＦ及び試験電圧ＶＦにより、ＤＧＲ用開閉器４’を試験する。
地絡方向継電器ＤＧＲは、例えば、所定の試験データ１１Ｂにより同位相の試験電流ＣＦ及び試験電圧ＶＦを与えた場合に動作しなければ、正常である（不動作試験）。又、特定の試験データ１１Ｂ（同位相の試験データ１１Ｂの位相を反転させたもの）により位相差１８０度の試験電流ＣＦ及び試験電圧ＶＦを与えた場合に動作すれば、正常である（動作試験）。
試験者ＴＥＲは、地絡方向継電器ＤＧＲのターゲット表示の有無、及びＤＧＲ用開閉器４’の開放動作の有無の少なくとも一方により、ＤＧＲ用開閉器４’の動作確認がなされ、試験結果が良好であることを認識する。
試験者ＴＥＲは、不動作試験、動作試験の順で行えば、動作試験においてＤＧＲ用開閉器４’が開放した状態で、すぐに停電試験に取り掛かることができる。この場合、不動作試験及び動作試験に係る試験データ１１Ｂが１つの音データで形成されれば、当該試験データ１１Ｂを一度再生するだけで、不動作試験及び動作試験が完了する。
又、試験データ１１Ｂにおいて、試験電圧ＶＦが整定値の１３０％とされ、試験電流ＣＦが０から徐々に増加して整定値以上となるものとされれば、試験者ＴＥＲは、この試験データ１１Ｂを再生するだけで、電流の最小動作試験を完了することができる。
【００３５】
以上の継電器試験装置１０は、音データとしての試験データ１１Ｂを記憶する記憶手段１１と、地絡継電器ＧＲ及び地絡方向継電器ＤＧＲの試験に係る試験電流ＣＦ及び試験電圧ＶＦを出力する試験出力端子１４と、試験データ１１Ｂに基づいて、試験電流ＣＦ及び試験電圧ＶＦの出力を指令する試験装置制御手段１６と、を有する。
よって、継電器試験装置１０では、試験者ＴＥＲは、複数のパターンに係る音データを用意するだけで様々な試験電流ＣＦ及び試験電圧ＶＦに係る試験を簡単に行える。試験電流ＣＦ及び試験電圧ＶＦの態様は、音データの編集により簡単に加工可能である。又、継電器試験装置１０は、低周波あるいは高周波等の特殊な周波数、並びに複雑な電流及び複雑な電圧の遷移に係る試験に、その周波数あるいは波形を有する音データを用意するだけで対応することができ、周波数及び波形毎に専用の試験装置を用意する必要がない。更に、普及している音データ再生アプリ１１Ａ（音楽再生アプリ）を利用することができるし、再生ボタンを押すだけで１つの試験が正確に完了して手軽である。
【００３６】
又、試験データ１１Ｂは、ハイレゾリューションオーディオ形式である。よって、試験データ１１Ｂに基づく試験電流ＣＦ及び試験電圧ＶＦの出力がより正確になされ、継電器試験がより一層確実に行われる。
又更に、試験データ１１Ｂは、ローレゾリューションオーディオ形式である。よって、継電器試験がより簡単に行え、継電器試験のコストが低減される。
更に、継電器試験装置１０は、通信手段１５を有しており、試験装置制御手段１６は、通信手段１５により試験データ１１Ｂを受信して、記憶手段１１に記憶する。よって、継電器試験装置１０は、遠隔地から試験データ１１Ｂを受信することができる。又、試験データ１１Ｂが、複数の継電器試験装置１０に配信可能である。更に、研究所等へ作成を依頼した試験データ１１Ｂの受領が、簡単に行える。
加えて、試験データ１１Ｂが、特異現象発生時に取得された特異現象時電流及び特異現象時電圧に基づいたものであれば、試験者ＴＥＲは、実際の特異現象を再現した試験を簡単に行うことができるし、その試験結果を地絡継電器ＧＲ及び地絡方向継電器ＤＧＲの特性の改善に使用することができる。実際の特異現象の再現には、その環境でしか起きない過渡的な現象が含まれていても良い。
更に、継電器試験装置１０は、試験装置用バッテリ１２を有している。よって、継電器試験装置１０の電源は、可搬型発電機あるいは電源線からの引き出しを行わなくても確保され、試験が簡単に済む。又、電源及びこれへの接続の取り扱いの誤りによる試験の事故が防止される。
【００３７】
尚、本発明の第１形態は、上記の形態及び変更例に限定されず、次に示すような更なる変更例を適宜有する。
各種の部材の全部又は一部は、同等なあるいは類似する他のものに置換されても良い。
継電器試験は、時限測定試験であっても良い。この場合であっても、多様な試験データ１１Ｂが簡単に用意される。この場合、継電器試験装置１０は、地絡継電器ＧＲ又は地絡方向継電器ＤＧＲの試験電流ＣＦ又は試験電圧ＶＦに対する反応を受信しても良い。
試験対象としての継電器は、地絡継電器ＧＲ及び地絡方向継電器ＤＧＲ以外の保護継電器であっても良い。例えば、周波数継電器（不足周波数継電器，過周波数継電器）が試験されても良い。この場合、予め試験する周波数の試験データ１１Ｂを用意しておけば、継電器試験装置１０は周波数発生器を備える必要がない。所望の周波数の試験データ１１Ｂは、音データ編集アプリ等により簡単に作成することができる。又、周波数が徐々に変化する試験データ１１Ｂが作成されれば、試験者ＴＥＲは、その試験データ１１Ｂの再生により、様々な周波数継電器について自動で試験することができる。
【００３８】
［第２形態］
本発明の第２形態では、第１形態の継電器試験装置１０が、高圧受電機器試験装置として使用される。即ち、継電器試験装置１０は、高圧受電機器に試験電流ＣＦ及び試験電圧ＶＦの少なくとも一方（試験電流ＣＦ等）を与える高圧受電機器試験装置として用いることができる。
継電器試験装置１０は、試験電流ＣＦ等を、試験データ１１Ｂの再生により、複雑なものであっても簡単に試験出力端子１４から出力することができる。よって、試験者ＴＥＲは、様々な試験電流ＣＦ等を、継電器試験装置１０により、簡単に高圧受電機器に与えることができる。このような高圧受電機器を試験する継電器試験装置１０は、高圧受電機器の試験を十分に行うことができる。
高圧受電機器として、例えば、上述のＧＲ用開閉器４、若しくはＤＧＲ用開閉器４’、又は周波数継電器、高圧ケーブル等が挙げられる。高圧受電機器は、継電器に限られない。
高品位な試験を行うことでより適切に高圧受電機器の試験を行うため、高圧受電機器試験装置としての継電器試験装置１０では、試験データ１１Ｂは、ハイレゾ形式であることが好ましい。
【００３９】
高圧受電機器試験装置としての継電器試験装置１０においても、試験データ１１Ｂは、レコーダーに記録された特異現象時の電流及び電圧の少なくとも一方（特異現象時電流等）のデータ、あるいはこのデータを加工したデータとされても良い。この場合、特異現象時電流等が再現される。よって、従来、保存及びそれ自体の解析にしか用いられなかったレコーダーのデータが、特異現象を再現した高圧受電機器の試験に用いられることとなり、高圧受電機器の試験を十分に行うことが可能となる。特異現象時の電流及び電圧は、繰り返し高圧受電機器に与えることができ、高圧受電機器の試験が十分に行える。
【００４０】
以上の高圧受電機器試験装置としての継電器試験装置１０は、音データとしての試験データ１１Ｂを記憶する記憶手段１１と、高圧受電機器の試験に係る試験電流ＣＦ及び試験電圧ＶＦの少なくとも一方を出力する試験出力端子１４と、試験データ１１Ｂに基づいて、試験電流ＣＦ及び試験電圧ＶＦの少なくとも一方の出力を指令する試験装置制御手段１６と、を有する。よって、様々なパターンに係る試験電流及び試験電圧を簡単に出力することで、高圧受電機器の試験を十分に行うことができる高圧受電機器試験装置が提供される。
又、試験データ１１Ｂは、ハイレゾリューションオーディオ形式である。よって、高圧受電機器試験装置としての継電器試験装置１０は、高圧受電機器に一層高品位な試験電流ＣＦ等を出力して、高圧受電機器の試験を十分に行える。
更に、試験データ１１Ｂは、高圧受電機器の特異現象発生時に取得された特異現象時電流及び特異現象時電圧の少なくとも一方に基づいたものである。よって、レコーダーのデータが有効利用され、特異現象に十分に耐え得る高圧受電機器試験が行える。又、特異現象の原因が追跡可能となる。
【００４１】
尚、本発明の第２形態は、第１形態と同様の変更例を有するものである。
【符号の説明】
【００４２】
１０・・継電器試験装置（高圧受電機器試験装置）、１１・・記憶手段、１１Ｂ・・試験データ（音データ）、１２・・試験装置用バッテリ（バッテリ）、１４・・試験出力端子、１５・・通信手段、１６・・試験装置制御手段、ＣＦ・・試験電流、ＤＧＲ・・地絡方向継電器、ＧＲ・・地絡継電器、ＶＦ・・試験電圧。
【要約】
【課題】様々なパターンに係る試験電流及び試験電圧を簡単に試験に用いることができる継電器試験装置及び高圧受電機器試験装置を提供する。
【解決手段】継電器試験装置１０は、音データとしての試験データ１１Ｂを記憶する記憶手段１１と、地絡継電器ＧＲの試験に係る試験電流ＣＦを出力する試験出力端子１４と、試験データ１１Ｂに基づいて、試験電流ＣＦの出力を指令する試験装置制御手段１６と、を有する。又、継電器試験装置１０は、高圧受電機器に試験電流ＣＦを与える高圧受電機器試験装置として用いることができる。
【選択図】図３【図１】
0006912619.tif 000002
【図２】
0006912619.tif 000003
【図３】
0006912619.tif 000004
【図４】
0006912619.tif 000005